(57)【要約】【課題】限られたフレーム寸法で、振動板の面積を従来より大きくしたスピーカを提供する。【解決手段】前方に向かって拡開し、外周縁にスピーカ取付部５にねじ６により固定するためのフランジ部３が形成されたフレーム１と、フレーム１に取付けられた磁気回路７と、磁気回路７に装着されたボイスコイルボビン１４を介して振動される振動板２６と、フレーム１と振動板２６とを連結するエッジ２９とを備え、ボイスコイルボビン１４の先端部に装着されるスペーサ１７と、このスペーサ１７に螺合されるキャップスクリュー２３とを備え、スペーサ１７とキャップスクリュー２３との間に振動板２６を挟持するようにした。【選択図】図１
2005318279.tif 000002
【特許請求の範囲】
【請求項１】
前方に向かって拡開し、外周縁にスピーカ取付部にねじにより固定するためのフランジ部が形成されたフレームと、
前記フレームに取付けられた磁気回路と、
前記磁気回路に装着されたボイスコイルボビンを介して振動される振動板と、
前記フレームと前記振動板とを連結するエッジと、を備えてなるスピーカにおいて、
前記ボイスコイルボビンの先端部に装着されるスペーサと、このスペーサに螺合されるキャップスクリューとを備え、前記スペーサと前記キャップスクリューとの間に前記振動板を挟持するようにしたことを特徴とするスピーカ。
【請求項２】
前記振動板の外周端は、前記フレームのフランジ部をほぼ被覆する位置まで延在していることを特徴とする請求項1に記載のスピーカ。
【請求項３】
前記振動板の前記スペーサと前記キャップスクリューとにより挟持される部分は、斜面状に形成されていることを特徴とする請求項１又は２に記載のスピーカ。
【請求項４】
前記スペーサは、工具を挿入して前記スペーサの回転を防止するための孔部を備えていることを特徴とする請求項１から３のいずれか一項に記載のスピーカ。
【発明の詳細な説明】
【技術分野】
【０００１】
本発明は、スピーカに関する。
【背景技術】
【０００２】
従来から、各種音響機器に使用されるスピーカは、フレームの基部にマグネットをトッププレートおよびヨークにより挟み込んで構成された磁気回路を取付けるとともに、磁気回路の磁気ギャップにボイスコイルボビンを装着し、フレームの前面側に、ボイスコイルボビンを介して振動される振動板を取り付けて構成されている（例えば、特許文献１参照。）。
【０００３】
しかしながら、近年、スピーカの小型化と重低音再生化、さらにその外観品位の向上が要求されつつある。その中で、前記要求を満たす手段として、振動板の外径をエッジの接続部より大きく形成した、いわゆるディスクリートエッジタイプと呼ばれるスピーカが多用化されている。
【０００４】
図９はこのような従来のディスクリートエッジタイプのスピーカを示したものであり、前面に向かって拡開されたフレーム５０の基部には、マグネット５１をトッププレート５２およびヨーク５３により挟み込んで構成された磁気回路５４が取付けられており、この磁気回路５４の磁気ギャップ５５には、ボイスコイルボビン５６が装着されている。フレーム５０の前面側には、ボイスコイルボビン５６を介して振動される振動板５７が取付けられており、この振動板５７の裏面側とフレーム５０のフランジ部５８とは、エッジ５９により接続されている。
【０００５】
そして、このような構成のスピーカを取付ける場合は、所定のスピーカ取付部６０にフレーム５０を設置した状態で、フランジ部５８およびスピーカ取付部６０に形成されたねじ穴６１にねじ６２を螺入させることにより、スピーカのフレーム５０を固定するようになっている。
【特許文献１】特開平６−１２５５９４号公報
【発明の開示】
【発明が解決しようとする課題】
【０００６】
しかしながら、上記従来のディスクリートエッジタイプのスピーカでは、図９に示すように、スピーカの表側からねじ６２により取付ける必要があるため、振動板５７の外径をフレーム５０のフランジ部５８より大きくすることができず、振動板５７の外径が取り付け部分の条件で制約されてしまう。このため必要な低音再生を行うことができないという問題があった。
【０００７】
また、スピーカを正面から見た場合、ねじ６２が完全に見えてしまい、外観上も美観が損なわれるという問題もあった。
【０００８】
本発明は上記従来の問題点を解決し、低音特性や、外観品位に非常に優れたスピーカを提供することを目的とするものである。
【課題を解決するための手段】
【０００９】
前記課題を解決するために、請求項１に記載の発明は、前方に向かって拡開し、外周縁にスピーカ取付部にねじにより固定するためのフランジ部が形成されたフレームと、前記フレームに取付けられた磁気回路と、前記磁気回路に装着されたボイスコイルボビンを介して振動される振動板と、前記フレームと前記振動板とを連結するエッジと、を備えてなるスピーカにおいて、前記ボイスコイルボビンの先端部に装着されるスペーサと、このスペーサに螺合されるキャップスクリューとを備え、前記スペーサと前記キャップスクリューとの間に前記振動板を挟持するようにしたことを特徴とする。
【００１０】
請求項２に記載の発明は、請求項１に記載のスピーカにおいて、前記振動板の外周端は、前記フレームのフランジ部をほぼ被覆する位置まで延在していることを特徴とする。
【００１１】
請求項３に記載の発明は、請求項１又は２に記載のスピーカにおいて、前記振動板の前記スペーサと前記キャップスクリューとにより挟持される部分は、斜面状に形成されていることを特徴とする。
請求項４に記載の発明は、請求項１から３のいずれか一項に記載のスピーカにおいて、前記スペーサは、工具を挿入して前記スペーサの回転を防止するための孔部を備えていることを特徴とする。
【発明の効果】
【００１２】
本発明によれば、従来と同一のフレーム外径で振動板の面積をより大きくすることができる。これによりスピーカの低音域の能率を向上させることが可能である。また、スピーカを正面から見た場合フレームのねじが完全に被覆されるため、外観上も優れた美観を呈する。
【発明を実施するための最良の形態】
【００１３】
以下、本発明の実施の形態を図１から図８を参照して説明する。
【００１４】
図１は本発明に係るスピーカの実施の形態を示す縦断面図である。本実施形態のスピーカは、前方に向かって拡開するフレーム１を備えており、このフレーム１は、平面状の基部２と、外周縁に形成された取付用フランジ部３とを備えている。フレーム１の取付用フランジ部３には、スピーカを取付けるための複数のねじ穴４が周方向に所定間隔をもって穿設されている。そして、フレーム１を所定のスピーカ取付部５のスピーカ取付孔に設置した状態で、ねじ穴４に固定ねじ６を螺入させることにより、フレーム１をスピーカ取付部５に固定するようになっている。
【００１５】
フレームの基部２の後面側には、磁気回路７が取付けられている。この磁気回路７は、円板状を有し中心部分に前方に突出する凸部８が形成されたヨーク９を備えており、このヨークの凸部８には、軸方向に貫通する孔部１０が形成されている。ヨーク９の前側であって凸部８の外周側には、環状のトッププレート１１がヨークの凸部８との間に磁気ギャップ１２を有するように配設されており、ヨーク９とトッププレート１１との間には、環状のマグネット１３が配設されている。
【００１６】
このように構成された磁気回路７の磁気ギャップ部分１２には、ボイスコイルが巻回される筒状のボイスコイルボビン１４が装着されており、このボイスコイルボビン１４の外周面とフレーム１の内側面との間には、ボイスコイルボビン１４を支持するダンパ１５が配設されている。
【００１７】
ボイスコイルボビン１４の先端部１６には、スペーサ１７が固定されている。図２はスペーサ１７の平面図および縦断面図を示したものであり、図２に示すように、スペーサ１７は、中央部にねじ用突起１８が形成された円板状に形成されており、ねじ用突起１８の外周面には、雄ねじ１９が形成されている。スペーサ１７の外周部下面には、ボイスコイルボビン１４の先端部が挿入される挿入溝２０が形成されており、スペーサ１７の外周部上面であって半径方向対称位置には、２つの支持凹部２１が形成されている。さらに、スペーサ１７の中央部には、マイナスドライバー等の先端を挿入させるための角孔２２が軸方向に貫通するように形成されている。
【００１８】
スペーサ１７には、キャップスクリュー２３が着脱自在に装着されており、図３はキャップスクリュー２３の平面図および縦断面図を示したものであり、図３に示すようにキャップスクリュー２３の表側には、直径方向に延在しキャップスクリュー２３を手で回転させるためのつまみ２４が設けられている。キャップスクリュー２３の内側には、スペーサ１７の雄ねじ１９に螺合される雌ねじ２５が形成されている。
【００１９】
また、スペーサ１７の前面側には、前方に向かって拡開する振動板２６が配設されており、この振動板２６の外周端は、フレーム１のフランジ部３をほぼ被覆する位置まで延在されている。振動板２６の中心部には、スペーサ１７のねじ用突起１８を受け入れる支持用孔２７が穿設されており、この支持用孔２７の外側には、スペーサの支持凹部２１に係合される支持凸部２８が形成されている。さらに、振動板２６の中心部分は、外周側が上方に位置するように斜面状に形成されており、この振動板２６の中心部分がばね性を有するように構成されている。そして、振動板２６の支持用孔２７をスペーサ１７のねじ用突起１８の外周側に挿入させるとともに、振動板２６の支持凸部２８をスペーサ１７の支持凹部２１に係合させた状態で、スペーサ１７の雄ねじ１９にキャップスクリュー２３の雌ねじ２５を螺合させることにより、スペーサ１７とキャップスクリュー２３との間で振動板２６を挟持するようになっている。
【００２０】
振動板２６の背面側には、振動板２６とフレーム１のフランジ部３とを連結するための弾性材料からなるエッジ２９が取付けられている。
【００２１】
次に、本実施形態に係るスピーカの取付方法を説明する。
【００２２】
まず、スピーカのフレーム１を、所定のスピーカ取付部５のスピーカ取付孔に、磁気回路７がスピーカ取付部５の内部に位置するとともに、フレーム１のフランジ部３のねじ穴４とスピーカ取付部５のねじ穴が重なるように設置する。
【００２３】
次に、キャップスクリュー２３のつまみ２４を回転操作してスペーサ１７の雄ねじ１９とキャップスクリュー２３の雌ねじ２５との螺合を解除することにより、キャップスクリュー２３をスペーサ１７から取り外す。続いて、振動板２６の支持凸部２８とスペーサ１７の支持凹部２１の係合を外すとともに、さらに振動板２６の支持用孔２７をスペーサ１７のねじ用突起１８から外す。
【００２４】
この状態で、振動板２６がエッジ２９のみでフレーム１に支持される状態になる。
【００２５】
そして、図４中２点差線で示すように、エッジ２９を変形させて振動板２６を横方向にずらし、フレーム１のフランジ部３のねじ穴４上に、ドライバー等で固定ねじ６を螺入する作業をするために必要な空間を形成する。このように振動板２６をずらしたまま、ドライバー等で固定ねじ６をねじ穴４に螺入する。このねじ螺入作業をフレーム１のフランジ部３のねじ穴４のすべてに対して行い、フレーム１のスピーカ取付部５への固定を完了する。
【００２６】
フレーム１のスピーカ取付部５への固定が完了したら、図５及び図６に示すように、エッジ２９のみでフレーム１のフランジ部３に支持されていた振動板２６の支持用孔２７をスペーサ１７のねじ用突起１８の外周側に挿入する。続いて、振動板２６の支持凸部２８をスペーサ１７の支持凹部２１に係合させる。
【００２７】
次に、図７及び図８に示すように、振動板２６の支持凸部２８をスペーサ１７の支持凹部２１に係合させた状態を保持したまま、キャップスクリュー２３のつまみ２４を回してスペーサ１７の雄ねじ１９とキャップスクリュー２３の雌ねじ２５を螺合して、スペーサ１７とキャップスクリュー２３との間で振動板２６を挟持する。このとき、図７に示すように、ヨーク９の孔部１０からマイナスドライバー等の先端を挿入してスペーサ１７の角孔２２に差し込み、キャップスクリュー２３の回転の影響を受けてスペーサ１７が一緒に回転しないよう固定する。
なお、本実施形態ではヨーク９の孔部１０からマイナスドライバー等の先端を挿入しているが、キャップスクリュー２３の中央に角孔２２を望む孔を形成し、スピーカ正面側からマイナスドライバー等を差し込むようにしてもよい。
【００２８】
このようにマイナスドライバー等でスペーサ１７を固定した状態で、キャップスクリュー２３を回転操作することにより、スペーサ１７の回転によりボイスコイルボビン１４に回転応力がかかることを防止することができる。
【００２９】
また、振動板２６の中心部分を斜面状に形成してばね性を有するように構成されているので、キャップスクリュー２３に対して一定の付勢力を付与することができ、その結果、スペーサ１７の雄ねじ１９とキャップスクリュー２３の雌ねじ２５との螺合部に緩みが生じることを防止することができるものである。
【００３０】
以上述べたように本実施形態によれば、振動板２６の中心部を挟持しているキャップスクリュー２３がスペーサ１７に対して着脱自在であり、フレーム１を取付ける際に、エッジ２９を変形させてフレーム１に対する振動板２６の位置をずらすことができるため、振動板２６の外周端がフレーム１のフランジ部３をほぼ被覆する位置まで延在していてもフレーム１のフランジ部３のねじ止めが可能である。そのため、本実施形態に係るスピーカ構造においては、従来と同じフレーム外径でもより面積の大きい振動板２６が取付可能であり、これによりスピーカの低音域の能率を向上させることができるという効果を得ることができる。
【００３１】
また、振動板２６の外周端がフレーム１のフランジ部３をほぼ被覆する位置まで延在されているため、本実施形態に係るスピーカ本体を正面から見ても、フレーム１のフランジ部３の固定ねじ６が振動板２６に被覆され外観上も優れた美観を呈する。
【図面の簡単な説明】
【００３２】
【図１】本発明におけるスピーカを示す縦断面図である。
【図２】図２(Ａ)は、本発明におけるキャップスクリューの構成を示す平面図であり、図２(Ｂ)は、図２(Ａ)のＡ−Ａ'線における縦断面図である。
【図３】図３(Ａ)は、本発明におけるスペーサの構成を示す平面図であり、図３(Ｂ)は、図３（Ａ）のＡ−Ａ'線における縦断面図である。
【図４】本発明におけるフレームをスピーカ取付部に固定する際の説明図である。
【図５】本発明における振動板を挟持する際の説明図である。
【図６】図５に示した振動板とスペーサの係合部の拡大図である。
【図７】本発明におけるスペーサとキャップスクリューを螺合する際の説明図である。
【図８】図７に示したスペーサとキャップスクリューの螺合部の拡大図である。
【図９】従来のスピーカを示す縦断面図である。
【符号の説明】
【００３３】
１  フレーム
２  フレーム基部
３  フランジ部
４  ねじ穴
７  磁気回路
１４  ボイスコイルボビン
１５  ダンパ
１７  スペーサ
２３  キャップスクリュー
２６  振動板
２９  エッジ
【図１】
2005318279.tif 000003
【図２】
2005318279.tif 000004
【図３】
2005318279.tif 000005
【図４】
2005318279.tif 000006
【図５】
2005318279.tif 000007
【図６】
2005318279.tif 000008
【図７】
2005318279.tif 000009
【図８】
2005318279.tif 000010
【図９】
2005318279.tif 000011